(57)【要約】【課題】机上面の端部に表示装置を設置し、ユーザによる操作入力用の操作部を机上に設ける構成において、操作部の表面に表示画面が映り込んで反射することで操作性を阻害することがないようにする。【解決手段】表示装置付机（１）は、机の天板（１１）と、天板（１１）の上面の一方の端部に、表示装置（２０）の表示画面（２１）を天板（１１）の反対側の端部に向けて、表示装置（２０）が設置され、天板（１１）には、ユーザによる操作入力を可能とする操作部（３０）を有する。表示装置（２０）は、操作部（３０）による操作するために使用するユーザインタフェースを表示する際に、表示装置（２０）の表示画面（２１）の少なくとも一部の領域の画面輝度を低下させる。【選択図】図１Ａ
2017045362.tif 000002
【特許請求の範囲】
【請求項１】
机の天板と、該天板の上面の一方の端部に、表示装置の表示画面を前記天板の反対側の端部に向けて、前記表示装置を設置した表示装置付机であって、
前記天板には、操作入力を可能とする操作部を有し、
前記表示装置は、前記操作部により操作するために使用するユーザインタフェースを表示する際に、前記表示装置の表示画面の少なくとも一部の領域の画面輝度を低下させることを特徴とする表示装置付机。
【請求項２】
請求項１に記載の表示装置付机において、
前記表示装置は、前記ユーザインタフェースを表示する際に、前記表示画面の中心位置を通る前記表示画面の法線と、前記表示装置が設置された端部と反対側の前記天板の端部位置における前記天板の法線とが交わる位置に視点があるとき、少なくとも前記操作部に反射して視認できる前記表示画面の画面領域を含む所定領域の画面輝度を低下させることを特徴とする表示装置付机。
【請求項３】
机の天板と、該天板の上面の一方の端部に、表示装置の表示画面を前記天板の反対側の端部に向けて、前記表示装置を設置した表示装置付学習机であって、
前記天板には、操作入力を可能とする操作部を有し、
前記表示装置は、前記操作部により操作するために使用するユーザインタフェースを表示する際に、前記表示装置の少なくとも下方向に対する視野角を狭くすることを特徴とする表示装置付机。
【請求項４】
机の天板と、該天板の上面の一方の端部に、表示装置の表示画面を前記天板の反対側の端部に向けて、前記表示装置を設置した表示装置付机であって、
前記天板には、操作入力を可能とする操作部を有し、
前記表示装置は、前記操作部により操作するために使用するユーザインタフェースを表示する際に、前記表示画面の中心位置を通る前記表示画面の法線と、前記表示装置が設置された端部と反対側の前記天板の端部位置における前記天板の法線とが交わる位置に視点があるとき、前記操作部で反射した前記ユーザインタフェースが視認されない位置に、前記ユーザインタフェースを表示させることを特徴とする表示装置付机。
【請求項５】
机の天板の上面の一方の端部の所定位置に、表示装置の表示画面を前記天板の反対側の端部に向けて、設置可能な前記表示装置であって、
前記天板には、操作入力を可能とする操作部が備えられ、
前記表示装置は、前記操作部により操作するために使用するユーザインタフェースを表示する際に、前記表示装置の表示画面の少なくとも一部の領域の画面輝度を低下させることを特徴とする表示装置。
【請求項６】
請求項５に記載の表示装置において、
前記表示装置が前記天板の所定位置に設置された状態で、前記表示装置は、前記ユーザインタフェースを表示する際に、前記表示画面の中心位置を通る前記表示画面の法線と、前記表示装置が設置された端部と反対側の前記天板の端部位置における前記天板の法線とが交わる位置に視点があるとき、少なくとも前記操作部に反射して視認できる前記表示画面の画面領域を含む所定領域の画面輝度を低下させることを特徴とする表示装置。
【請求項７】
机の天板の上面の一方の端部の所定位置に、表示装置の表示画面を前記天板の反対側の端部に向けて、設置可能な前記表示装置であって、
前記天板には、操作入力を可能とする操作部が備えられ、
前記表示装置は、前記操作部により操作するために使用するユーザインタフェースを表示する際に、前記表示装置の少なくとも下方向に対する視野角を狭くすることを特徴とする表示装置。
【請求項８】
机の天板の上面の一方の端部の所定位置に、表示装置の表示画面を前記天板の反対側の端部に向けて、設置可能な前記表示装置であって、
前記天板には、操作入力を可能とする操作部が備えられ、
前記表示装置は、該表示装置が前記天板の所定位置に設置された状態で、前記操作部により操作するために使用するユーザインタフェースを表示する際に、前記表示画面の中心位置を通る前記表示画面の法線と、前記表示装置が設置された端部と反対側の前記天板の端部位置における前記天板の法線とが交わる位置に視点があるとき、前記操作部で反射した前記ユーザインタフェースが視認されない位置に、前記ユーザインタフェースを表示させることを特徴とする表示装置。
【請求項９】
天板を有し、該天板の上面の一方の端部の所定位置に、表示装置の表示画面を前記天板の反対側の端部に向けて、前記表示装置を設置可能な机であって、
前記天板には、操作入力を可能とする操作部を有し、
前記表示装置が、前記操作部により操作するために使用するユーザインタフェースを表示する際に、前記表示装置の表示画面の少なくとも一部の領域の画面輝度を低下させることを特徴とする机。
【請求項１０】
請求項９に記載の机において、
前記表示装置が前記天板の所定位置に設置された状態で、前記表示装置は、前記ユーザインタフェースを表示する際に、前記表示画面の中心位置を通る前記表示画面の法線と、前記表示装置が設置された端部と反対側の前記天板の端部位置における前記天板の法線とが交わる位置に視点があるとき、少なくとも前記操作部に反射して視認できる前記表示画面の画面領域を含む所定領域の画面輝度を低下させることを特徴とする机。
【請求項１１】
天板を有し、該天板の上面の一方の端部の所定位置に、表示装置の表示画面を前記天板の反対側の端部に向けて、前記表示装置を設置可能な机であって、
前記天板には、操作入力を可能とする操作部を有し、
前記表示装置が、前記操作部により操作するために使用するユーザインタフェースを表示する際に、前記表示装置の少なくとも下方向に対する視野角を狭くすることを特徴とする机。
【請求項１２】
天板を有し、該天板の上面の一方の端部の所定位置に、表示装置の表示画面を前記天板の反対側の端部に向けて、前記表示装置を設置可能な机であって、
前記天板には、操作入力を可能とする操作部を有し、
前記表示装置が前記天板の所定位置に設置された状態で、前記表示装置は、前記操作部により操作するために使用するユーザインタフェースを表示する際に、前記表示画面の中心位置を通る前記表示画面の法線と、前記表示装置が設置された端部と反対側の前記天板の端部位置における前記天板の法線とが交わる位置に視点があるとき、前記操作部で反射した前記ユーザインタフェースが視認されない位置に、前記ユーザインタフェースを表示させることを特徴とする机。
【発明の詳細な説明】
【技術分野】
【０００１】
本発明は、表示装置付机、表示装置および机に関し、より詳細には、机上面に対して表示装置を設置した表示装置付机、表示装置および机に関する。
【背景技術】
【０００２】
教育環境自体のＩＴ（Information Technology）化として、タブレット等の情報端末の１人１台配備、学校の高速ブロードバンド接続、電子黒板、無線ＬＡＮ環境整備、デジタル教科書・教材の活用等、初等教育段階から教育環境自体のＩＴ化を進め、児童生徒等の学力の向上とＩＴリテラシーの向上を図る、との政府案が検討されている。これらの取り組みにより、２０１０年代中には、全ての小学校、中学校、高等学校、特別支援学校で教育環境のＩＴ化を実現するものとされている。
【０００３】
学習環境を整える学習机に関して、例えば学習机に設置した表示装置に教材等の画像を適宜表示させながら学習を行うようにすることが考えられる。このとき、机上にはタッチパネルなどのユーザ操作のための操作部を設置して、表示装置の表示画面を操作することが考えられる。
例えば特許文献１には、現金自動預け払い機（ＡＴＭ）などの自動取引装置において、利用者が入力操作部を操作する際に、照明装置の照明光が映り込み、表示内容が読み取れないこと防止するための技術が開示されている。ここでは、自動取引装置は、利用者の操作によって取引を行う自動取引装置において、利用者の接近を検出して検出信号を出力する近接センサと、利用者に操作画面を表示する入力操作部と、検出信号に基づいて照明手段を制御し、入力操作部上を照らす光の映り込みを抑制して利用者の視覚の妨げにならない程度に照明手段の明るさを変える照明制御手段と、を有している。これにより、入力操作部に照明装置の照明光が映り込むことがないか、または表示画像が表示されている部分に映り込みが発生しないものとされている。
【先行技術文献】
【特許文献】
【０００４】
【特許文献１】特開２０１０−１９１６４９号公報
【発明の概要】
【発明が解決しようとする課題】
【０００５】
上記のように、学校においては、教育環境のＩＴ化を実現する取組みが行われているが、家庭における子供の学習環境については、ＩＴ化が進んでいるとは言えないのが実情である。例えば、家庭では、ノートＰＣ（ノート型パーソナルコンピュータ）やタブレット端末を単純に学習に使用することは行われているが、学習机において端末を効率的に使用することができていない。
【０００６】
例えば学習机に表示装置を設置した場合、表示装置の画像を見ながら学習を行うためには、ユーザは、表示された画像に対して操作入力を行って、適宜学習を進める必要が生じる。この場合、表示装置に表示したユーザインタフェースにタッチ操作を行って、学習を進めることが考えられるが、通常、学習机にユーザが座った位置の反対側端部に表示装置を設置した学習机の場合には、表示装置の表示面まで手が届かない場合もあり、手が届いても操作しにくい、という問題が生じる。
【０００７】
そこで表示装置の表示画面に表示されたユーザインタフェースを簡便でかつ直感的に操作できる構成が求められる。このためには、机上にタッチパネルを設け、表示装置の表示画面の座標位置とタッチパネルの座標位置とを関連付けることにより、机上のタッチパネルによる操作が可能となる。この場合、表示画面と同じモニタを机上に取り付け、モニタ上に例えば静電容量方式のタッチパネルを設け、表示装置の表示画面と同じ画面をモニタに表示させることで、タッチ操作が可能となる。しかしながら、この場合、机上にも別のモニタを設けなければならず、構成が複雑になりコストアップの要因となる。
【０００８】
このような問題を解消するために、タッチパネルのみを机上に設け、そのタッチパネルの下に画面操作用のテンプレートを設置することが考えられる。テンプレートには、キー表示や各種ボタン類などの選択要素を予め印刷しておき、そのテンプレートに合わせて表示装置にユーザインタフェースを表示させる。ユーザがタッチパネルの特定の位置をタッチすると、その座標に対応したユーザインタフェースの位置がタッチ操作されたものとして制御することで、机上のタッチパネルを用いた直感的な操作を行うことができる。
【０００９】
また、タッチパネル以外にもデジタルペンによるタッチ入力操作が可能なシステムが知られている。このデジタルペンは、場所により異なるパターンのドットが紙面に配置され、デジタルペンに内蔵されたカメラがそのドットパターンを撮影する。そして撮影したドットパターンをデジタルペンが内蔵しているプロセッサが処理して、座標位置が計算される。この座標位置を表示装置に送るようにする。デジタルペンを入力するためのドットパターンを印刷した紙には、画面操作用のテンプレートを予め印刷しておき、そのテンプレートに合わせて表示装置にユーザインタフェースを表示させる。ドットパターンを印刷した紙の表面には、紙を保護するためのガラスやアクリルなどの透明プレートを配置する。あるいはドットパターンを透明プレートの方に印刷するようにしてもよい。
そしてデジタルペンのタッチ位置に応じて、そのドットパターンから計算した座標に対応したユーザインタフェースの位置がタッチ操作されたものとして制御する。これにより、机上のドットパターンとデジタルペンを用いた直感的な操作を行うことができる。
【００１０】
上記のように、机上にタッチパネルやデジタルペン操作用のプレートを配置する場合、ユーザは手元で直観的な操作を行うことができるが、表示装置付を設置した学習机の前にユーザが座った場合、ユーザのすぐ前の机上に設けられたタッチパネルないしデジタルペン操作用の透明プレートに対して表示装置の表示画面が映り込んで反射し、テンプレートの視認性が悪化して操作性が悪くなる、という課題が生じる。
【００１１】
上記特許文献１の自動取引装置は、利用者の接近を近接センサにより検出し、照明を暗くすることを目的しているが、操作部に対する表示装置の表示画面の映り込みによる操作性の悪化については何ら言及されていない。
【００１２】
本発明は、上述のごとき実情に鑑みてなされたものであり、机上面の端部に表示装置を設置し、ユーザによる操作入力用の操作部を机上に設ける構成において、操作部の表面に表示画面が映り込んで反射することで操作性を阻害することがないようにした表示装置付机、表示装置および机を提供することを目的とする。
【課題を解決するための手段】
【００１３】
上記課題を解決するために、本発明の第１の技術手段は、机の天板と、該天板の上面の一方の端部に、表示装置の表示画面を前記天板の反対側の端部に向けて、前記表示装置を設置した表示装置付机であって、前記天板には、ユーザによる操作入力を可能とする操作部を有し、前記表示装置は、前記操作部により操作するために使用するユーザインタフェースを表示する際に、前記表示装置の表示画面の少なくとも一部の領域の画面輝度を低下させることを特徴としたものである。
【００１４】
第２の技術手段は、第１の技術手段において、前記表示装置は、前記ユーザインタフェースを表示する際に、前記表示画面の中心位置を通る前記表示画面の法線と、前記表示装置が設置された端部と反対側の前記天板の端部位置における前記天板の法線とが交わる位置に視点があるとき、少なくとも前記操作部に反射して視認できる前記表示画面の画面領域を含む所定領域の画面輝度を低下させることを特徴としたものである。
【００１５】
第３の技術手段は、机の天板と、該天板の上面の一方の端部に、表示装置の表示画面を前記天板の反対側の端部に向けて、前記表示装置を設置した表示装置付机であって、前記天板には、操作入力を可能とする操作部を有し、前記表示装置は、前記操作部により操作するために使用するユーザインタフェースを表示する際に、前記表示装置の少なくとも下方向に対する視野角を狭くすることを特徴としたものである。
【００１６】
第４の技術手段は、机の天板と、該天板の上面の一方の端部に、表示装置の表示画面を前記天板の反対側の端部に向けて、前記表示装置を設置した表示装置付机であって、前記天板には、操作入力を可能とする操作部を有し、前記表示装置は、前記操作部により操作するために使用するユーザインタフェースを表示する際に、前記表示画面の中心位置を通る前記表示画面の法線と、前記表示装置が設置された端部と反対側の前記天板の端部位置における前記天板の法線とが交わる位置に視点があるとき、前記操作部で反射した前記ユーザインタフェースが視認されない位置に、前記ユーザインタフェースを表示させることを特徴としたものである。
【００１７】
第５の技術手段は、机の天板の上面の一方の端部の所定位置に、表示装置の表示画面を前記天板の反対側の端部に向けて、設置可能な前記表示装置であって、前記天板には、操作入力を可能とする操作部が備えられ、前記表示装置は、前記操作部により操作するために使用するユーザインタフェースを表示する際に、前記表示装置の表示画面の少なくとも一部の領域の画面輝度を低下させることを特徴としたものである。
【００１８】
第６の技術手段は、第５の技術手段において、前記表示装置が前記天板の所定位置に設置された状態で、前記表示装置は、前記ユーザインタフェースを表示する際に、前記表示画面の中心位置を通る前記表示画面の法線と、前記表示装置が設置された端部と反対側の前記天板の端部位置における前記天板の法線とが交わる位置に視点があるとき、少なくとも前記操作部に反射して視認できる前記表示画面の画面領域を含む所定領域の画面輝度を低下させることを特徴としたものである。
【００１９】
第７の技術手段は、机の天板の上面の一方の端部の所定位置に、表示装置の表示画面を前記天板の反対側の端部に向けて、設置可能な前記表示装置であって、前記天板には、操作入力を可能とする操作部が備えられ、前記表示装置は、前記操作部により操作するために使用するユーザインタフェースを表示する際に、前記表示装置の少なくとも下方向に対する視野角を狭くすることを特徴としたものである。
【００２０】
第８の技術手段は、机の天板の上面の一方の端部の所定位置に、表示装置の表示画面を前記天板の反対側の端部に向けて、設置可能な前記表示装置であって、前記天板には、操作入力を可能とする操作部が備えられ、前記表示装置は、該表示装置が前記天板の所定位置に設置された状態で、前記操作部により操作するために使用するユーザインタフェースを表示する際に、前記表示画面の中心位置を通る前記表示画面の法線と、前記表示装置が設置された端部と反対側の前記天板の端部位置における前記天板の法線とが交わる位置に視点があるとき、前記操作部で反射した前記ユーザインタフェースが視認されない位置に、前記ユーザインタフェースを表示させることを特徴としたものである。
【００２１】
第９の技術手段は、天板を有し、該天板の上面の一方の端部の所定位置に、表示装置の表示画面を前記天板の反対側の端部に向けて、前記表示装置を設置可能な机であって、前記天板には、操作入力を可能とする操作部を有し、前記表示装置が、前記操作部により操作するために使用するユーザインタフェースを表示する際に、前記表示装置の表示画面の少なくとも一部の領域の画面輝度を低下させることを特徴としたものである。
【００２２】
第１０の技術手段は、第９の技術手段において、前記表示装置が前記天板の所定位置に設置された状態で、前記表示装置は、前記ユーザインタフェースを表示する際に、前記表示画面の中心位置を通る前記表示画面の法線と、前記表示装置が設置された端部と反対側の前記天板の端部位置における前記天板の法線とが交わる位置に視点があるとき、少なくとも前記操作部に反射して視認できる前記表示画面の画面領域を含む所定領域の画面輝度を低下させることを特徴としたものである。
【００２３】
第１１の技術手段は、天板を有し、該天板の上面の一方の端部の所定位置に、表示装置の表示画面を前記天板の反対側の端部に向けて、前記表示装置を設置可能な机であって、
前記天板には、操作入力を可能とする操作部を有し、前記表示装置が、前記操作部により操作するために使用するユーザインタフェースを表示する際に、前記表示装置の少なくとも下方向に対する視野角を狭くすることを特徴としたものである。
【００２４】
第１２の技術手段は、天板を有し、該天板の上面の一方の端部の所定位置に、表示装置の表示画面を前記天板の反対側の端部に向けて、前記表示装置を設置可能な机であって、
前記天板には、操作入力を可能とする操作部を有し、前記表示装置が前記天板の所定位置に設置された状態で、前記表示装置は、前記操作部により操作するために使用するユーザインタフェースを表示する際に、前記表示画面の中心位置を通る前記表示画面の法線と、前記表示装置が設置された端部と反対側の前記天板の端部位置における前記天板の法線とが交わる位置に視点があるとき、前記操作部で反射した前記ユーザインタフェースが視認されない位置に、前記ユーザインタフェースを表示させることを特徴としたものである。
【発明の効果】
【００２５】
本発明によれば、机上面の端部に表示装置を設置し、ユーザによる操作入力用の操作部を机上に設ける構成において、操作部の表面に表示画面が映り込んで反射することで操作性を阻害することがないようにした表示装置付机、表示装置および机を提供することができる。
【図面の簡単な説明】
【００２６】
【図１Ａ】本発明の実施形態に係る表示装置付机の外観構成例を概略的に示す図である。
【図１Ｂ】本発明の実施形態に係る表示装置付机の外観構成の他の例を概略的に示す図である。
【図２】テンプレートの構成の一例を概略的に示すものである。
【図３】本発明の第１の実施形態における表示装置と天板との関係を模式的に示す図で、ユーザインタフェースの表示状態と操作部との関係の一例を示す図である。
【図４】本発明の第１の実施形態における表示装置と天板との関係を模式的に示す図で、ユーザインタフェースの表示状態と操作部との関係の他の例を示す図である。
【図５】本発明の第３の実施形態を説明するための図で、表示画面に表示させるユーザインタフェースと操作部との関係の一例を示す図である。
【図６】操作部にユーザインタフェースを映り込ませないようにした表示状態を示す図である。
【発明を実施するための形態】
【００２７】
以下に本発明に係る実施形態を具体的に説明する。なお、以下の実施形態では、机の天板の上面の一方の端部に、表示画面を天板の反対側の端部に向けて、表示装置を設置した表示装置付机の構成例を説明するが、表示装置を設置可能な状態の机（学習机）も本発明に係る実施形態に含む。この場合、机は、天板の上面の一方の端部の所定位置に、表示画面を天板の反対側の端部に向けて、表示装置を設置可能な机として構成され、その机に対して、所定位置に表示装置を設置した際に、下記の実施形態に示すような機能を実現するものとする。また同様に、本発明に係る実施形態は、表示装置単体としての実施形態も含まれる。この場合、表示装置は、机の天板の上面の一方の端部に、表示装置の表示画面を天板の反対側の端部に向けて設置可能な表示装置として構成され、その机に対して、所定位置に表示装置を設置した際に、下記の実施形態に示すような機能を実現するものとする。
【００２８】
（実施形態１）
図１Ａ及び図１Ｂは、本発明の実施形態に係る表示装置付机の外観構成例を概略的に示す図である。
表示装置付机１は、机１０と、薄型の表示装置２０とが組み合わされて構成されている。表示装置２０は、ＦＰＤ（Flat Panel Display）を用いた薄型の表示装置で、例えば液晶表示パネルを使用した液晶表示装置として構成される。
表示装置２０は、机１０の天板１１の一方の端部に、表示装置２０の表示画面２１を天板１１の反対側の端部に向けて、天板１１の表面に設置されている。この例では、表示装置２０は、天板１１に対して垂直になるように設置されているが、この構成に限定されることなく、表示装置２０が天板１１に対して斜めになるように配置されていてもよい。また、表示装置２０と天板１１との角度が変更可能なチルト機構を設けて、適宜天板１１と表示装置２０との角度を設定できるようにしてもよい。以下は、表示装置２０が天板１１に対して垂直に設けられている構成を例として説明する。
ユーザは、通常、表示装置付机１の前面に座して、表示装置２０の表示画面２１を見ながら、机１０の天板１１を利用して学習等の作業を行うことができる。
【００２９】
表示装置付机１の天板１１の表面には、ユーザ操作用の操作部３０が設けられている。操作部３０は、操作用のテンプレートと、その表面に設けたタッチパネルからなっている。もしくはデジタルペンによる操作用のドットパターンを印刷した紙に操作用のテンプレートを印刷し、その表面にガラスやアクリル板などの保護用の透明プレートを設置した構成からなっている。ドットパターンは、保護用の透明プレートに印刷したものであってもよい。図１Ａ，図１Ｂは、それぞれ異なる位置に操作部３０を設置した例を示すもので、図１Ａは、天板１１のほぼ中央部に操作部３０を設置した例を示し、図１Ｂは、天板１１の右端の位置に操作部３０を設置した例を示す。
【００３０】
図２は、テンプレートの構成の一例を概略的に示すものである。テンプレートには、例えばキーボードやボタン類が予め印刷されている。そしてテンプレートに応じたユーザインタフェースが表示装置２０の表示画面２１に表示される。テンプレート上には、例えばタッチパネルが設けられていて、タッチパネルにタッチしたときの座標位置と、ユーザインタフェースの座標位置が対応し、表示装置２０では、タッチパネルにタッチした座標位置に従って処理を行うことができる。
デジタルペンによる操作も同様であり、デジタルペンに内蔵されたカメラがそのドットパターンを撮影し、撮影したドットパターンをデジタルペンが内蔵しているプロセッサが処理して、座標位置が計算される。この座標位置を表示装置２０に送り、座標位置に応じた処理を表示装置で行うことができる。
【００３１】
ユーザは、通常、表示装置付机１の正面に座って表示画面２１を視認し、天板１１を使って学習等の作業を行う。そして操作部３０を操作しながら表示画面２１の表示画面に対する操作入力を行うことができる。
このときに操作部３０には、表示装置２０に表示される表示画面２１が映り込んで反射し、テンプレートの視認性を悪化させて操作性を悪くする。
【００３２】
図３は、本発明の第１の実施形態における表示装置と天板との関係を模式的に示す図で、ユーザインタフェースの表示状態と操作部との関係の一例を示す図である。
表示装置２０の表示画面２１には、ユーザ操作用のユーザインタフェース２２を適宜表示させることができる。ユーザ操作用のユーザインタフェース２２とは、例えばソフトウェアキーボードであったり、ユーザが選択操作するためのボタン等であったりする。これら特定のユーザ操作用のユーザインタフェース２２が表示されているときには、ユーザは、操作部３０を使用してタッチ操作を行うことで、ソフトウェアキーボードなどのユーザインタフェースを操作することができる。
【００３３】
本発明に係る実施形態では、表示画面２１に特定のユーザ操作用のユーザインタフェース２２を表示しているときに、そのユーザインタフェース２２がユーザに視認される場合、表示画面２１の少なくとも一部の輝度を低下させて暗くする。これにより、ユーザは、操作部３０に映り込んだ表示画面２１によりテンプレートの視認性が悪化することなく、操作部３０に対する操作処理を行うことができる。
【００３４】
本実施形態では、表示画面２１の中心位置を通る表示画面の法線と、表示装置２０が設置された端部と反対側の天板１１の端部位置における天板１１の法線とが交わる位置にユーザの視点ｐが設定されるものとする。すなわち、視点ｐの位置は、表示画面の高さＨの１／２の高さ位置であり、かつ表示画面の幅Ｗの１／２（Ｗ／２）の位置にあり、その奥行方向の位置は、表示画面２１と反対側の天板１１の端部位置になる。視点ｐから表示画面２１までの距離は、表示画面２１から天板１１の端部までの距離Ｌと同じになる。この場合、表示装置付机１の正面から見たときに、表示画面２１が天板１１に映り込み反射する形状は、台形形状になる。ここで視点ｐにおいて表示画面２１の映り込みが発生しない領域は、斜線領域Ｓで示す領域となる。
【００３５】
本実施形態では、操作部３０は、天板１１の幅方向のほぼ中央位置に設定されている。このときに、図３に示す位置に視点ｐがあるとき、表示画面２１は操作部３０に映り込んで反射し、視点ｐの位置で視認することができる。
ユーザが操作部３０を操作しない場合には、ユーザが操作部３０自体を視認することはないため、操作部３０に対する表示画面２１の映り込みは気にならないといえる。ここで、操作部３０により操作可能なユーザインタフェース２２が表示画面２１に表示されたものとする。ユーザインタフェース２２は、例えばソフトウェアキーボードである。この場合、ユーザは、操作部３０のキーボードのテンプレートを視認しながら、操作部３０に対するタッチ操作を行ってソフトウェアキーボードに対する操作入力を行う。このときに、表示画面２１が操作部３０に映り込んで反射すると、ユーザはテンプレートが視認し難くなり操作性を阻害する。
【００３６】
そこで本実施形態では、表示画面２１に操作部３０を用いて操作されるべきユーザインタフェース２２が表示されている場合には、表示装置２０は、表示画面２１の少なくとも一部の領域の輝度を低下させて暗くする。
この例では、ユーザインタフェース２２が表示されているときの表示画面２１の全体領域の輝度を低下させて暗くすることができる。あるいは操作部３０に反射した表示画面が視点ｐの位置で視認できる画面領域を計算し、その画面領域について輝度を低下させて暗くしてもよい。また、ここで計算した画面領域の周囲に一定のマージンを付与し、そのマージンを付与した領域で画面の輝度を低下させて暗くしてもよい。いずれにしても、操作部３０を用いて操作されるべきユーザインタフェース２２が表示されている場合には、視点ｐの位置で視認できる操作部３０による映り込みを軽減するために、操作部３０に反射して視点ｐで視認できる画面領域を含む少なくとも一部の表示画面２１の領域の輝度を低下させる。
【００３７】
表示画面２１の輝度の低下は、表示装置２０を構成する液晶パネルを照明するバックライトの輝度を低下させたり、あるいは液晶パネルに表示させる映像信号を処理し、映像信号の輝度を低下させることで実行することができる。また、バックライトの輝度の低下と映像信号処理による輝度の低下を併用してもよい。あるいは映像信号の輝度だけではなく、入力映像信号の色を変化させ、例えばグレー系の暗くて彩度の低い色に置き換えて表示することで、結果的に画面輝度を低くすることができる。
【００３８】
図４は、本発明の第１の実施形態における表示装置と天板との関係を模式的に示す図で、ユーザインタフェースの表示状態と操作部との関係の他の例を示す図である。
本実施形態では、操作部３０は、天板１１の幅方向のほぼ右端に設定されている。図４に示す位置に視点ｐがあるとき、表示画面２１の一部は、操作部３０に映り込んで反射し、視点ｐの位置で視認することができる
ここで、操作部３０により操作可能なユーザインタフェース２２が表示画面２１に表示された場合、表示画面２１が操作部３０に映り込んで反射すると、ユーザはテンプレートが視認し難くなり操作性を阻害する。
【００３９】
そこで、表示画面２１に操作部３０を用いて操作されるべきユーザインタフェース２２が表示されている場合には、表示装置２０は、表示画面の少なくとも一部の領域の輝度を低下させて暗くする。この例では、ユーザインタフェース２２が表示されているときの表示画面２１の全体領域の輝度を低下させて暗くしてもよく、あるいは操作部３０に反射した表示画面が視点ｐの位置で視認できる画面領域を計算し、その画面領域について輝度を低下させて暗くしてもよい。この例の場合には、操作部３０が右端に設置されているため、表示画面２１の右端の領域の一部についての表示画面２１の輝度を低下して暗くする。また、上記計算した画面領域の周囲に一定のマージンを付与し、そのマージンを付与した領域で画面の輝度を低下させて暗くしてもよい。
いずれにしても、操作部３０を用いて操作されるべきユーザインタフェース２２が表示されている場合には、視点ｐの位置で視認できる操作部３０による映り込みを軽減するために、操作部３０に反射して視点ｐで視認できる画面領域を含む少なくとも一部の表示画面２１の領域の輝度を低下させる。
【００４０】
本実施形態の視点位置は、最も標準的な状態でユーザが表示画面を視認する位置であり、操作部３０を用いて操作されるべきユーザインタフェース２２が表示画面２１に表示されているときに、表示画面２１の少なくとも一部の領域の輝度を低下させることにより、操作部３０に対する表示画面２１の映り込みにより視認性を阻害されることなく、快適な操作が可能になる。
【００４１】
なお、上記の例では、視点ｐの位置を標準的な状態となる画面中央位置に設定して、輝度調整を行う画面領域を計算することできるものとしたが、一定範囲で視点位置が動くものとみなし、その一定範囲内に視点があるときに、その範囲内の何れの位置に視点があっても、操作部３０による表示画面２１の映り込みが視点位置で視認できない画面領域で、輝度を低下させるように計算してもよい。
【００４２】
（実施形態２）
液晶表示装置の液晶パネルに表示される映像の見え方は，視聴者が液晶パネルを見る角度（視角）によって異なる。例えば、液晶パネルを斜めから見ると、表示映像の明るさの低下や色調の反転などが生じる。また、液晶パネルの表示映像を正常に見ることのできる視角の範囲は、液晶表示装置の性能を示す指標として視野角と称される。なお視野角は、液晶パネルの表示面の垂線を中心とする角度で表される。この視野角を変更する技術は各種のものが知られているが、例えば液晶パネルに対向配置された視野角変更用液晶パネルにおける液晶分子の配向方向を変更することによって変更可能であることが知られている。
また、狭視野角モードでは、バックライトの輝度を低下させつつ映像の輝度レベルを高輝度側にシフトさせることにより、正面方向における明るさを維持しながら、視野角を狭小化する技術等が知られている。ここでは視野角の具体的変更方法は限定されず、公知の手法によって表示装置２０の上下方向の視野角を切り換える機能を有する表示装置２０を使用するものとする。
【００４３】
本発明に係る第２の実施形態では、操作部３０を用いて操作されるべきユーザインタフェース２２が表示画面２１に表示されているときと、そのユーザインタフェース２２が表示画面２１に表示されていないときとで、表示装置２０の表示画面２１の視野角を切り換える。ここで言うユーザインタフェース２２とは、実施形態１と同様に、例えばソフトウェアキーボードであったり、ユーザが選択操作するためのボタン等であったりする。これら特定のユーザ操作用のユーザインタフェース２２が表示されているときには、ユーザは、操作部３０を使用してタッチ操作を行うことで、ソフトウェアキーボードなどのユーザインタフェースを操作することができる。
【００４４】
本実施形態では、操作部３０を用いて操作されるべきユーザインタフェース２２が表示画面に表示されたときには、上下方向の視野角を狭くするように制御する。ここでは少なくとも下方向に対する視野角を狭くできればよい。
ユーザインタフェース２２が表示されているときに、下方向に対する視野角を狭くすることにより、表示画面２１から下方斜め方向への輝度が低下する。すなわち、天板１１に垂直に設けられている表示画面２１の下方斜め方向に存在する操作部３０方向へ出射する光の輝度が低下する。これにより、操作部３０に映り込んで反射した表示画面がユーザに見えることで、操作部３０のテンプレートの視認性が悪化し、操作部３０の操作性が悪くなることを防止することができる。
【００４５】
（実施形態３）
図５は、本発明の第３の実施形態を説明するための図で、表示画面に表示させるユーザインタフェースと操作部との関係の一例を示す図である。
本実施形態では、操作部３０を用いて操作されるべきユーザインタフェース２２が表示画面２１に表示されている場合、そのユーザインタフェース２２が操作部３０に映り込んで反射し、ユーザが視認することのないような位置にユーザインタフェース２２を表示させる。これにより、ユーザインタフェース２２が操作部３０に映り込むことによる操作性の悪化を防止する。
【００４６】
図５の例では、操作部３０は、天板１１のほぼ右端の位置に設置されている。操作部３０は、操作用のテンプレートとその表面に設けたタッチパネルにより構成される。もしくは操作部３０は、デジタルペンによる操作用のテンプレートとその表示面の保護用の透明プレートから構成することができる。
表示画面２１には、ユーザ操作用のユーザインタフェース２２を適宜表示させることができる。ユーザ操作用のユーザインタフェース２２は、例えばソフトウェアキーボードであったり、ユーザが選択操作するためのボタン等であったりする。これら特定のユーザ操作用のユーザインタフェース２２が表示されているときには、ユーザは、操作部３０を使用してタッチ操作を行うことで、ソフトウェアキーボードなどのユーザインタフェース２２を操作することができる。
【００４７】
ユーザの視点位置は、第１の実施形態と同様とする。すなわち、視点ｐは、表示画面２１の中心位置を通る表示画面の法線と、表示装置２０が設置された端部と反対側の天板１１の端部位置における天板１１の法線とが交わる位置に視点ｐが設定されるものとする。つまり視点ｐの位置は、表示画面の高さＨの１／２の高さ位置であり、かつ表示画面の幅Ｗの１／２（Ｗ／２）の位置にあり、その奥行方向の位置は、表示画面２１と反対側の天板１１の端部位置になる。視点ｐから表示画面２１までの距離は、表示画面２１から天板１１の端部までの距離Ｌと同じになる。
【００４８】
図５のようにユーザインタフェース２２を表示した場合、ユーザインタフェース２２の一部（この例では右端の部分）が、操作部３０に映り込み、視点ｐの位置で視認することができる。これにより、ユーザは操作部３０のテンプレートの視認性が悪化して、操作性が悪くなる。これを避けるために、ユーザインタフェース２２を表示させる場合には、図６のように表示させる。図６は、操作部３０にユーザインタフェース２２を映り込ませないようにした表示状態を示す図である。この場合、視点ｐの位置では、操作部３０に映り込んだユーザインタフェース２２は視認することはできない。従って、図６のように表示することにより、操作部３０のテンプレートの視認性が悪化して操作性が悪くなることを回避することができる。
【００４９】
なお、上記の例では、視点ｐの位置を標準的な状態となる画面中央位置に設定して、ユーザインタフェース２２の表示位置を調整することできるものとしたが、一定範囲で視点位置が動くものとみなし、その一定範囲内に視点があるときに、その範囲内の何れの位置に視点があっても、操作部３０によるユーザインタフェース２２の映り込みが視点位置で視認できない画面領域に、ユーザインタフェース２２を表示させるようにしてもよい。
【００５０】
上記の各実施形態で記載されている技術的特徴（構成要件）は、お互いに組み合わせ可能であり、組み合わせることにより、新しい技術的特徴を形成することができる。
【符号の説明】
【００５１】
１…表示装置付机、１０…机、１１…天板、２０…表示装置、２１…表示画面、２２…ユーザインタフェース、３０…操作部。
【図１Ａ】
2017045362.tif 000003
【図１Ｂ】
2017045362.tif 000004
【図２】
2017045362.tif 000005
【図３】
2017045362.tif 000006
【図４】
2017045362.tif 000007
【図５】
2017045362.tif 000008
【図６】
2017045362.tif 000009